(57)【要約】【課題】  吸熱管１２の外周に、小径の冷媒管１４を所定の間隔で複数本密着させたパイプ式熱交換器において、吸熱管１２の外周に冷媒管１４を確実に密着することができるパイプ式熱交換器を提案する。【解決手段】  吸熱管１２の外周に所定の位置に冷媒管１４を当接させた状態で、帯状箔板２０をオバーラッピングしながら巻装し、冷媒管１４を締め付ける外皮１８を形成したことを特徴とする。【選択図】  図２
2005083729.tif 000002
【特許請求の範囲】
【請求項１】
吸熱管１２の外周に、小径の冷媒管１４を所定の間隔で複数本密着させたパイプ式熱交換器において、
吸熱管１２の外周に所定の位置に冷媒管１４を当接させた状態で、帯状箔板２０をオバーラッピングしながら巻装し、冷媒管１４を締め付ける外皮１８を形成したことを特徴とするパイプ式熱交換器。
【請求項２】
構成部材を銅又は銅合金を用いて形成し、電気炉でろう付してそれぞれの密着面を接合した請求項１に記載のパイプ式熱交換器。
【発明の詳細な説明】
【技術分野】
【０００１】  この発明は、冷媒を用いたヒートポンプ式給湯器や暖房機等に組み込む熱交換器（凝縮器）で、吸熱管の外周に複数本の冷媒管を密着させた構造のパイプ式熱交換器に関するものである。
【背景技術】
【０００２】  冷媒を用いた熱交換器は、高圧のガス冷媒が流通する一次側と、被加熱流体の水が流通する二次側とで熱交換するように構成され、高圧冷媒に対する耐圧構造が求められる。かかる熱交換器の構造として、水が流通する吸熱管の外周に、冷媒が流通する小径管を軸方向に沿って所定の間隔で複数本密着させたパイプ式熱交換器があり、これは、冷媒通路として小径の管体（冷媒管）を用いることで耐圧性を確保したものである。
【発明の開示】
【発明が解決しようとする課題】
【０００３】  このようなパイプ式熱交換器において、吸熱管と冷媒管の密着手段としては、機械的外力による押圧方法や、吸熱管の外壁に形成した溝列に冷媒管を圧入する方法が用いられているが、密着不良が生じ易く、機械的強度にも欠けるものであった。【０００４】  この発明は、これらの課題を解決することを目的とするもので、吸熱管の外周に冷媒管を確実に密着させることができるとともに、作業性、生産性に優れたパイプ式熱交換器の新規構造を提案するものである。また、機械的強度とフレキシビリティを備え、組み込む装置や機器の設置スペースに応じて自由な形状に成形可能なパイプ式熱交換器を提案することを目的とするものである。
【課題を解決するための手段】
【０００５】  こうした課題を解決するため、この発明のパイプ式熱交換器は、吸熱管１２の外周に、小径の冷媒管１４を所定の間隔で複数本密着させたパイプ式熱交換器において、吸熱管１２の外周に所定の位置に冷媒管１４を当接させた状態で、帯状箔板２０をオバーラッピングしながら巻装し、冷媒管１４を締め付ける外皮１８を形成したことを特徴とするものである。【０００６】  また、構成部材を銅又は銅合金を用いて形成し、電気炉でろう付してそれぞれの密着面を接合するものである。
【発明の効果】
【０００７】  この発明のパイプ式熱交換器は、吸熱管１２の外周に冷媒管１４を当接させた状態で、帯状箔板２０をオバーラッピングしながら巻装し、冷媒管１４を締め付ける外皮１８を形成したので、この締結力で吸熱管１２の外周に冷媒管１４を確実に密着することができるものである。また、このようにして製作したパイプ式熱交換器は、機械的強度とフレキシビリティを備え、組み込む装置や機器の設置スペースに応じて曲げ加工することで、自由な形状に成形可能である。【０００８】  また、箔板２０の巻装は連続巻き付け装置を用いることで、作業性、生産性に優れ、吸熱管１２と外皮１８との間に生じる間隙１７は、管の損傷による万一の流体漏れ（水、冷媒）の場合に、これらを外部に排出する漏水路として機能し、安全性にも優れるものである。【０００９】  また、構成部材を銅又は銅合金を用いて形成し、組立品を電気炉に投入してろう付することで、それぞれの密着面を堅固に接合することができる。
【発明を実施するための最良の形態】
【００１０】  図面に、この発明のパイプ式熱交換器の具体的な実施例を示す。図に示すパイプ式熱交換器１０は、水が流通する吸熱管１２の外周に、小径の冷媒管１４を軸方向に沿って１２０度の間隔で３本密着させ、所定の全長に形成されている。吸熱管１２の両端に接続継手１３、同じく冷媒管１４の両端に接続継手１５が設けられ、冷媒管１４は接続継手１５から分岐されている。図２の断面図に示すように、冷媒管１４に密着した状態でこれを締め付ける外皮１８が形成され、吸熱管１２と外皮１８との間に間隙１７が形成され、この間隙１７は、管の損傷による万一の流体漏れの場合に、これらを外部に排出する漏水路として機能する。このパイプ式熱交換器１０は、機器に組み込む場合に、図１矢印で示すように、水の流通方向と冷媒の流通方向がクロスするように配管される。【００１１】  次に、このパイプ式熱交換器１０の製作工程を説明すると、図３に示すように、吸熱管１２の外周に所定の位置に冷媒管１４を当接させた状態で、連続巻き付け装置を用いて帯状箔板２０をオバーラッピングしながら所定の締結力で巻装する。この巻装作業によって冷媒管１４を締め付ける外皮１８が形成され、吸熱管１２の外周に冷媒管１４が確実に密着される。【００１２】  このパイプ式熱交換器１０は、吸熱管１２、冷媒管１４、帯状箔板２０を銅又は銅合金で形成し、所定位置にろう材を設置して組み立て、組立品を電気炉に投入してろう付して製作することができる。図４に、吸熱管１２と冷媒管１４の間、冷媒管１４と帯状箔板２０の間にろう箔２４を設置して組み立てた状態を示す。電気炉内でろうが溶融し、それぞれの密着面が堅固に接合される。なお、ろう箔２４に代わってろう棒を設置して組み立ててもよい。【００１３】  このようにして製作したパイプ式熱交換器１０は機械的強度とフレキシビリティを備え、組み込む装置や機器の設置スペースに応じて曲げ加工することで、自由な形状に成形可能である。図５及び図６に具体的な成形例を示す。図５は、長尺のパイプ式熱交換器１０を円柱状に曲げ畳んでコンパクト化したものである。図６は、障害物等により設置スペースが限られる場合に、これに応じてコの字状に折り曲げて扁平に形成したものである。【００１４】  なお、図例のパイプ式熱交換器１０は、吸熱管１２の外周に冷媒管１４を軸方向に沿って設けたが、吸熱管１２の外周に冷媒管１４を螺旋状に巻装し、伝熱面積を増大を図ってもよい。また、帯状箔板２０の連続巻き付け作業で極めて長尺に形成したもの切断し、端部の箔板２０を除去するとともに、吸熱管１２及び冷媒管１４を端末処理することで、所定の全長のパイプ式熱交換器１０を製作するようにしてもよい。
【図面の簡単な説明】
【００１５】
【図１】  この発明の実施例で側面図。
【図２】  図１中Ａ−Ａで切断した拡大断面図。
【図３】  製作工程を示す説明図で、要部の側面図。
【図４】  ろう材を設置した状態の正面図。
【図５】  成形例を示す斜視図。
【図６】  他の成形例を示す斜視図。
【符号の説明】
【００１６】１２  吸熱管
１４  冷媒管
１８  外皮
２０  帯状箔板
【図１】
2005083729.tif 000003
【図２】
2005083729.tif 000004
【図３】
2005083729.tif 000005
【図４】
2005083729.tif 000006
【図５】
2005083729.tif 000007
【図６】
2005083729.tif 000008